(57)【特許請求の範囲】
【請求項１】
側壁の容器内側に位置する上端角部に、収容されるパックが当接し案内されるテーパーが形成されている箱型容器であって、前記箱型容器の４つの隅部を挟んで、前記隅部付近に位置する前記テーパーには、上面が、前記側壁の上端面と面一で、且つ、垂直面が、前記側壁の内面と面一な突出部が形成されており、上方に位置する箱型容器の底部の下面に垂下された嵌合リブが、下方に位置する箱型容器の開口部に嵌合されるように積み重ねられた状態において、上方に位置する箱型容器に横方向の外力が加わった際には、上方に位置する箱型容器の底部の下面に垂下された嵌合リブが、下方に位置する箱型容器のテーパーに形成された突出部の垂直面に当接することにより、上方に位置する箱型容器の嵌合リブが、下方に位置する箱型容器のテーパーに沿って上方に持ち上げられることが阻止されるように構成されていることを特徴とする箱型容器。
【発明の詳細な説明】
【０００１】
【発明の属する技術分野】
本発明は、牛乳、ジュース、水等が充填された略角柱状の紙製パックを収納、保管、搬送するために使用される箱型容器に関するものである。
【０００２】
【従来の技術】
従来の箱型容器の斜視図である図４に示されているように、４つの側壁ｃ１の容器内側に位置する上端角部に、テーパーｃ２を形成した箱型容器Ｃが知られている。ロボット等の自動機の挿入装置を用いて、箱型容器Ｃに紙製パックを挿入する際に、挿入装置の位置制御の誤差等により、挿入装置に把持されて下方に移動する紙製パックが、側壁ｃ１の容器内側に位置する上端角部に当接しても、上記のように、上端角部にテーパーｃ２が形成されているので、紙製パックが、該テーパーｃ２に案内されてスムースに箱型容器Ｃに挿入されるとともに、紙製パックの損傷が防止される。
【０００３】
【発明が解決しようとする課題】
上述した従来の箱型容器Ｃが積み重ねられた状態の垂直断面図である図５を用いて、本発明が解決しようとする課題について説明する。
【０００４】
箱型容器Ｃの底部ｃ３の下面には、箱型容器Ｃの開口部に嵌合可能な垂直な嵌合リブｃ３’が垂下されており、図５（ａ）に示されているように、下方に位置する箱型容器Ｃｂの開口部に、上方に位置する箱型容器Ｃｕの嵌合リブｃ３’を嵌合させることにより、箱型容器Ｃが積み重ねられるように構成されている。
【０００５】
ところで、上方に位置する箱型容器Ｃｕに横方向から外力が加わると、図５（ｂ）に示されているように、上方に位置する箱型容器Ｃｕの嵌合リブｃ３’が、下方に位置する箱型容器Ｃｂの上端角部に形成されたテーパーｃ２を案内面として、テーパーｃ２に沿って上方に持ち上げられ、上方に位置する箱型容器Ｃｕの嵌合リブｃ３’と下方に位置する箱型容器Ｃｂの開口部との嵌合が外れるという問題があった。
【０００６】
本発明の目的は、上述した従来の箱型容器が有する課題を解決するとともに、多数の箱型容器を、安定して積み重ねることが可能な箱型容器を提供することにある。
【０００７】
【課題を解決するための手段】
本発明は、上述した目的を達成するために、側壁の容器内側に位置する上端角部に、収容されるパックが当接し案内されるテーパーが形成されている箱型容器であって、前記箱型容器の４つの隅部を挟んで、前記隅部付近に位置する前記テーパーには、上面が、前記側壁の上端面と面一で、且つ、垂直面が、前記側壁の内面と面一な突出部が形成されており、上方に位置する箱型容器の底部の下面に垂下された嵌合リブが、下方に位置する箱型容器の開口部に嵌合されるように積み重ねられた状態において、上方に位置する箱型容器に横方向の外力が加わった際には、上方に位置する箱型容器の底部の下面に垂下された嵌合リブが、下方に位置する箱型容器のテーパーに形成された突出部の垂直面に当接することにより、上方に位置する箱型容器の嵌合リブが、下方に位置する箱型容器のテーパーに沿って上方に持ち上げられることが阻止されるように構成したものである。
【０００８】
以下に、本発明の箱型容器の斜視図である図１、本発明の箱型容器が積み重ねられた状態の垂直断面図である図２及び本発明の箱型容器の他の実施例の斜視図である図３を用いて、本発明の実施例について説明するが、本発明の趣旨を越えない限り何ら、本実施例に限定されるものではない。
【０００９】
【実施例】
平面形状が略矩形状に形成されている箱型容器Ｃは、４つの側壁１と底部２とを有しており、底部２には、箱型容器Ｃの開口部に嵌合可能な垂直な嵌合リブ２ａが垂下されいる。３は、側壁１を囲むように、側壁１の上端部から外方向に水平に延びる開口部フランジであり、４は、側壁１を囲むように、側壁１の下端部から外方向に水平に延びる下部フランジであり、また、５ａ、５ｂは、開口部フランジ３と下部フランジ４との間に、側壁１を囲むように、水平に延設された中間リブである。６は、側壁１の外面１ａに、適当な間隔で、縦方向に形成された縦リブである。７は、適当な側壁１の穿設された、持ち手用の透孔である。
【００１０】
８は、側壁１の容器内側に位置する上端角部を削るようにして形成されテーパーであり、９は、テーパー８の傾斜面８ａから突設された突出部である。突出部９は、側壁１の上端面１ｂと同じか或いは上端面１ｂより下方で、且つ、側壁１の内面１ｃと同じか或いは側壁１の内面１ｃより、側壁１の外面１ａ側に位置するように形成されていることが好ましい。更に、図１に示されているように、突出部９の上面９ａが、側壁１の上端面１ｂと面一に、且つ、突出部９の垂直面９ｂが、側壁１の内面１ｃと面一になるように、テーパー８の傾斜面８ａから突設されることが好ましい。
【００１１】
突出部９は、箱型容器Ｃの４つの隅部Ｃ’を挟んで、隅部Ｃ’付近に、それぞれ、１個或いは複数個、突起状に形成されることが好ましい。隅部Ｃ’間に位置するテーパー８の中央部に突出部９を形成することもできるが、箱型容器Ｃを合成樹脂で一体成形した場合には、側壁１が、容器内側に湾曲することがある。このように、容器内側に湾曲した側壁１の上端角部に形成されたテーパー８の中央部に突出部９を形成すると、紙製パックを箱型容器Ｃに挿入する際に、紙製パックが、突出部９に当接する頻度が高くなり、紙製パックの損傷が頻繁に惹起されることになる。従って、側壁１が容器内側に湾曲するような場合には、隅部Ｃ’間に位置するテーパー８の中央部に突出部９を形成することは避けることが好ましい。
【００１２】
本発明の箱型容器Ｃを、図２に示されているように、下方に位置する箱型容器Ｃｂの開口部に、上方に位置する箱型容器Ｃｕの嵌合リブ２ａを嵌合させるようにして積み重ねる。このように積み重ねられた箱型容器Ｃの上方に位置する箱型容器Ｃｕに横方向の外力が加わっても、上方に位置する箱型容器Ｃｕの嵌合リブ２ａが、下方に位置する箱型容器Ｃｂのテーパー８に突設された突出部９に引っ掛かり、従って、下方に位置する箱型容器Ｃｂのテーパーｃ２に沿って、上方に位置する箱型容器Ｃｕが、上方に持ち上げられることが阻止される。
【００１３】
突出部９が、側壁１の上端面１ｂと同じか或いは上端面１ｂより下方に位置するように形成することにより、換言すれば、突出部９が、側壁１の上端面１ｂから突出しないように形成することにより、箱型容器Ｃを積み重ねた際に、上方に位置する箱型容器Ｃｕが、下方に位置する箱型容器Ｃｂに形成された突出部９に載置されることがないので、より安定した状態で、多数の箱型容器Ｃを積み重ねることがでる。また、突出部９が、側壁１の内面１ｃと同じか或いは側壁１の内面１ｃより、側壁１の外面１ａ側に位置するように形成することにより、換言すれば、突出部９が、側壁１の内面１ｃから突出しないように形成することにより、紙製パックを箱型容器Ｃに挿入する際に、紙製パックが、突出部９に当接する頻度が低くなり、紙製パックの損傷がより確実に防止できる。
【００１４】
更に、突出部９の垂直面９ｂが、側壁１の内面１ｃと面一に形成されることにより、積み重ねられた箱型容器Ｃの上方に位置する箱型容器Ｃｕに横方向の外力が加わり、上方に位置する箱型容器Ｃｕの嵌合リブ２ａが、下方に位置する箱型容器Ｃｂのテーパー８に突設された突出部９に当接した際に、突出部９の垂直面９ｂの全面に嵌合リブ２ａが当接するので、下方に位置する箱型容器Ｃｂのテーパーｃ２に沿って、上方に位置する箱型容器Ｃｕが、上方に持ち上げられることが、確実に、阻止される。
【００１５】
図３に示されている本発明の別の実施例は、突出部９が、箱型容器Ｃの４つの隅部Ｃ’を挟んで、所定の長さに亘って連続した、条片状の突出部９に形成されているものである。換言すれば、側壁１の容器内側に位置する上端角部の隅部Ｃ’側を除いて、中央部にのみテーパー８を形成したものである。従って、図３に示されているように、本実施例においては、箱型容器Ｃの４つの隅部Ｃ’に、平面形状が略Ｖ字状の条片状の突出部９が形成されることになる。その他の構成については、上述した実施例と同じであるので、その説明は省略する。また、上述した実施例で説明した突出部９と上記の連続して形成された突出部９とを組み合わせて形成することもできる。
【００１６】
【発明の効果】
本発明は、以上説明したように構成されているので、以下に記載する効果を奏することができる。
【００１７】
積み重ねられた箱型容器に横方向の外力が加わっても、箱型容器の上端角部に形成されたテーパーへの箱型容器の乗り上げが防止できるので、従って、箱型容器の安定した嵌合状態を確保することができる。
【００１８】
箱型容器の安定した嵌合状態を確保できるので、多数の箱型容器を安定して積み重ねることができ、従って、箱型容器の収納スペースを減少することできるとものに、積み重ねられた状態の多数の箱型容器を、安定して運搬或いは搬送することができる。
【００１９】
突出部の上面が、側壁の上端面と面一に、且つ、突出部の垂直面が、側壁の内面と面一になるように形成されているので、突出部の垂直面の全面に嵌合リブが当接し、従って、下方に位置する箱型容器のテーパーに沿って、上方に位置する箱型容器が、上方に持ち上げられることが、確実に、阻止されるとともに、箱型容器を積み重ねた際に、上方に位置する箱型容器が、下方に位置する箱型容器に形成された突出部に載置されることがないので、より安定した状態で、多数の箱型容器を積み重ねることがでる。
【図面の簡単な説明】
【図１】図１は本発明の箱型容器の斜視図である。
【図２】図２は本発明の箱型容器が積み重ねられた状態の垂直断面図である。
【図３】図３は本発明の箱型容器の他の実施例の斜視図である。
【図４】図４は従来の箱型容器の斜視図である。
【図５】図５は従来の箱型容器が積み重ねられた状態の垂直断面図である。
【符号の説明】
Ｃ・・・・・・箱型容器
１・・・・・・側壁
２・・・・・・底部
２ａ・・・・・嵌合リブ
８・・・・・・テーパー
９・・・・・・突出部
【図１】
0003908307.tif 000002
【図２】
0003908307.tif 000003
【図３】
0003908307.tif 000004
【図４】
0003908307.tif 000005
【図５】
0003908307.tif 000006